(57)【要約】【課題】  障害者及び高齢者のボタン押下の利便性向上。【解決手段】  アクセシビリティモードを有する機器において、それが設定された場合に、使用できる機能を限定する手段と、使用できる機能の操作が誤操作しやすいか否かを判断する手段と、誤操作しやすいと判断した場合に、該操作しやすいと判断されるボタンに隣接するボタンが、使用しない機能のボタンであるか否かを判断する手段と、使用しない機能のボタンであると判断した場合に、前記誤操作しやすいと判断されるボタンの機能を前記使用しないボタンに重複して割り当てる手段を備える。【選択図】  図１
2011118529.tif 000002
【特許請求の範囲】
【請求項１】
アクセシビリティモード（以下、ＡＣＣモード）を有する機器において、ＡＣＣモードが設定された場合に、使用できる機能を限定する手段と、使用できる機能の操作が誤操作しやすいか否かを判断する手段と、誤操作しやすいと判断した場合に、該操作しやすいと判断されるボタンに隣接するボタンが、使用しない機能のボタンであるか否かを判断する手段と、使用しない機能のボタンであると判断した場合に、前記誤操作しやすいと判断されるボタンの機能を前記使用しないボタンに重複して割り当てる手段を備えることを特徴とする機器。
【請求項２】
ＡＣＣモードが設定された場合に、前記ＡＣＣモードで使用できる機能をユーザが選択できる手段を備えることを特徴とする請求項１に記載の機器。
【請求項３】
ＡＣＣモードが設定された場合に、前記誤操作しやすいと判断される機能を使用しないボタンに重複して割り当てる際に、割り当てる機能の候補を表示して、ユーザが選択できる手段を備えることを特徴とする請求項１に記載の機器。
【請求項４】
ＡＣＣモードが設定された場合に、前記誤操作しやすいと判断される機能を使用しないボタンに重複して割り当てる際に、ユーザ自身が割り当てる機能を選択できる手段を備えることを特徴とする請求項１に記載の機器。
【発明の詳細な説明】
【技術分野】
【０００１】
この発明は、障害者や高齢者の操作性向上のために、ＡＣＣモードを備え、使用できる機能を限定し、ボタンの誤操作防止を可能にするカメラや複写機やプリンタなどの機器に関する。
【背景技術】
【０００２】
従来、特許文献、特開２００２−２８１３５２に示すように、単なる利便性の向上のために、機器の機能をユーザが所望するボタンに自由に割り当てる（配置し直す）技術は存在していた。しかし、障害者や高齢者の操作性向上を目的として、ＡＣＣモードを設け、使用する機能を限定することをベースに、誤操作しやすいボタンに隣接するボタンに誤操作しやすいボタンと同じ機能を意図的に重複して割り当てることにより、障害者や高齢者が自分の意志通りに操作できるように操作性を向上させる技術は、まだ実現されていなかった。
【先行技術文献】
【特許文献】
【０００３】
【特許文献１】特開２００２−２８１３５２号公報
【発明の概要】
【発明が解決しようとする課題】
【０００４】
本発明では、ＡＣＣモードを備え、使用できる機能を限定可能な機器において、誤操作しやすいと判断されるボタンに隣接するボタンに、誤操作しやすいと判断されるボタンの機能を意図的に重複して割り当てることにより、障害者や高齢者（特に上肢障害者）が、意志通りにボタンを押下できる可能性を増やす、あるいは、意図しないボタンを押下して誤操作を招く可能性を減らすことができる機器を提供することを目的とする。
【課題を解決するための手段】
【０００５】
本発明は、上記目的を達成するため、請求項１に記載の発明では、ＡＣＣモードを有する機器において、ＡＣＣモードが設定された場合に、使用できる機能を限定する手段と、使用できる機能の操作が誤操作しやすいか否かを判断する手段と、誤操作しやすいと判断した場合に、該操作しやすいと判断されるボタンに隣接するボタンが、使用しない機能のボタンであるか否かを判断する手段と、使用しない機能のボタンであると判断した場合に、前記誤操作しやすいと判断されるボタンの機能を前記使用しないボタンに重複して割り当てる手段を備える。
【０００６】
請求項２に記載の発明では、前記請求項における前記ＡＣＣモードで使用できる機能をユーザが選択できる手段を備える。
【０００７】
請求項３に記載の発明では、前記請求項１における前記誤操作しやすいと判断される機能を使用しないボタンに重複して割り当てる際に、割り当てる機能の候補を表示して、ユーザが選択できる手段を備える。
【０００８】
請求項４に記載の発明では、前記請求項１における前記誤操作しやすいと判断される機能を使用しないボタンに重複して割り当てる際に、ユーザ自身が割り当てる機能を選択できる手段を備える。
【発明の効果】
【０００９】
以上、本発明によれば、ＡＣＣモードを備え、使用する機能を限定できる機器において、誤操作しやすいと判断されるボタンに隣接するボタンに、誤操作しやすいと判断されるボタンの機能を意図的に重複して割り当てることにより、障害者や高齢者（特に上肢障害者）が、意志通りにボタンを押下できる可能性を増やす、あるいは、意図しないボタンを押下して誤操作を招く可能性を減らすことができる。
【図面の簡単な説明】
【００１０】
【図１】本発明に適用するデジタルカメラの構成を示す外観図である。
【図２】本発明に適用するデジタルカメラの構成を示すブロック図である。
【図３】本発明に適用するデジタルカメラの全体的な動作を示すフローチャートである。
【図４】実施例１における初期設定処理手順を示すフローチャートである。
【図５】実施例１におけるＡＣＣモードで使用可／不可の機能のボタンを示す画面である。
【図６】実施例１における使用可／不可の機能をユーザが確認する画面である。
【図７】実施例１における機能をボタンに重複割り当てした結果を示す画面である。
【図８】実施例１における機能のボタンへの重複割り当てが完了した旨をユーザに通知する画面である。
【図９】実施例２における初期設定処理手順を示すフローチャートである。
【図１０】実施例２におけるＡＣＣモードで使用可／不可の機能をユーザが確認する画面である。
【図１１】実施例２における使用可／不可の機能をユーザが選択する画面である。
【図１２】実施例２におけるユーザが選択した使用可／不可の機能の結果を示す画面である。
【図１３】実施例２における使用可／不可の機能をユーザが確認する画面である。
【図１４】実施例３における初期設定処理手順を示すフローチャートである。
【図１５】実施例３における機能のボタンへの重複割り当てをユーザが確認する画面である。
【図１６】実施例３における機能のボタンへの重複割り当てに関する他の画面である。
【図１７】実施例４における初期設定処理手順を示すフローチャートである。
【図１８】実施例４における機能のボタンへの重複割り当てをユーザが確認する画面である。
【図１９】実施例４における機能のボタンへの重複割り当ての選択画面である。
【図２０】実施例４におけるユーザが機能をボタンに重複割り当てした結果を示す画面である。
【図２１】実施例４における機能のボタンへの重複割り当てをユーザが確認する画面である。
【発明を実施するための形態】
【００１１】
以下、図面を参照して本発明の実施形態について説明する。
【００１２】
図１は本発明の実施例を適用するデジタルカメラの構成を示す外観図である。図１において２８は画像や各種情報を表示する表示部。７２は電源オン、電源オフを切り替える電源スイッチ。６１はシャッターボタン。６０は各種モードを切り替えるモード切替スイッチ。１１１はデジタルカメラと外部機器を接続するための接続ケーブル。１１２は接続ケーブル１１１とデジタルカメラとのコネクタ。７０はユーザーからの各種操作を受け付ける操作部。操作部７０は各種ボタンやタッチパネル等の操作部材からなる。具体的には、消去ボタン、メニューボタン、ＳＥＴボタン、十字に配置された４方向キー（上ボタン、下ボタン、右ボタン、左ボタン）、ホイール７３などが挙げられる。２００はメモリカードやハードディスク等の記録媒体。２０１は記録媒体２００を格納して通信するための記録媒体スロットである。
【００１３】
図２に本発明に適用するデジタルカメラの構成例を示すブロック図を示す。１０３は撮影レンズ、１０１は絞り機能を備えるシャッター、２２は光学像を電気信号に変換するＣＣＤやＣＭＯＳ素子等で構成される撮像部である。２３はアナログ信号をデジタル信号に変換するＡ／Ｄ変換器であり、撮像部２２から出力されるアナログ信号をデジタル信号に変換する場合に用いられる。また、音声制御部１１から出力されるアナログ信号をデジタル信号に変換する場合にも用いられる。バリア１０２は、デジタルカメラ１００の、レンズ１０３を含む撮像部を覆う事により、撮像部の汚れや破損を防止する。
【００１４】
１２は、撮像部２２、音声制御部１１、Ａ／Ｄ変換器２３、Ｄ／Ａ変換器１３にクロック信号や制御信号を供給するタイミング発生部であり、メモリ制御部１５及びシステム制御部５０により制御される。２４は画像処理部であり、Ａ／Ｄ変換器２３からのデータ、又は、メモリ制御部１５からのデータに対し所定の画素補間、縮小といったリサイズ処理や色変換処理を行う。画像処理部２４ではまた、撮像した画像データを用いて所定の演算処理を行い、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理回路２４では更に、撮像した画像データを用いて所定の演算処理を行い、得られた演算結果に基づいてＴＴＬ方式のＡＷＢ（オートホワイトバランス）処理も行っている。
【００１５】
Ａ／Ｄ変換器２３からの出力データは、画像処理部２４及びメモリ制御部１５を介して、或いは、直接メモリ制御部１５を介して、メモリ３２に書き込まれる。メモリ３２は、マイク１０において録音された音声データ、撮影した静止画像や動画像および画像ファイルを構成する場合の、ファイルヘッダを格納するためのメモリである。このメモリ３２は、所定枚数の静止画像や所定時間の動画像および音声を格納するのに十分な記憶容量を備えている。
【００１６】
１６は、適応離散コサイン変換（ＡＤＣＴ）等により画像データを圧縮伸張する圧縮・伸張部であり、シャッター１０１をトリガにしてメモリ３２に格納された撮影画像を読み込んで圧縮処理を行い、処理を終えたデータをメモリ３２に書き込む。また、記録部１９などからメモリ３２に読み込まれた圧縮画像を読み込んで伸張処理を行い、処理を終えたデータをメモリ３２に書き込む。圧縮・伸張部１６によりメモリ３２に書き込まれた画像データは、システム制御部５０のファイル部においてファイル化され、インターフェース１８を介して記録媒体２００に記録される。
【００１７】
また、メモリ３２は画像表示用のメモリを兼ねており、１３はＤ／Ａ変換器、２８はＬＣＤ等からなる画像表示部であり、メモリ３２に書き込まれた表示用の画像データはＤ／Ａ変換器１３を介して画像表示部２８により表示される。
【００１８】
１０はマイクでマイクから出力された音声信号は、アンプ等で構成される音声制御部１１を介してＡ／Ｄ変換部２３においてデジタル信号に変換された後、メモリ制御部１５によってメモリ３２に格納される。一方、記録媒体２００に記録されている音声データは、メモリ３２に読み込まれた後、Ｄ／Ａ変換部１３を介し音声制御部１１において制御された信号がスピーカー３９において発音される。
【００１９】
不揮発性メモリ５６は電気的に消去・記録可能なメモリであり、例えばＥＥＰＲＯＭ等が用いられる。システム制御部５０の動作用の定数、プログラム等を記憶する。５０は、デジタルカメラ１００全体を制御するシステム制御部である。５２は、システム制御部５０の動作用の定数、変数、不揮発性メモリ５６から読み出したプログラム等を展開するシステムメモリである。
【００２０】
第１シャッタースイッチＳＷ１（６２）、第２シャッタースイッチＳＷ２（６４）、操作部７０はシステム制御部５０に各種の動作指示を入力するための操作手段である。６０はモード切替スイッチであり、システム制御部５０の動作モードを静止画記録モード、動画記録モード、再生モード等のいずれかに切り替えることができる。
【００２１】
第１シャッタースイッチＳＷ１（６２）は、デジタルカメラ１００に設けられたシャッターボタン６１の操作途中（半押し）でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００２２】
第２シャッタースイッチＳＷ２（６４）は、シャッターボタン６１の操作完了（全押し）でＯＮとなり、撮像部２２からの信号読み出しから記録媒体２００に画像データを書き込むまでの一連の撮像処理の動作開始を指示する。
【００２３】
操作部７０の各操作部材は、表示部２８に表示される種々の機能アイコンを選択操作することなどにより、場面ごとに適宜機能が割り当てられ、各種機能ボタンとして作用する。機能ボタンとしては例えば終了ボタン、戻るボタン、画像送りボタン、ジャンプボタン、絞込みボタン、属性変更ボタン等がある。例えばメニューボタンが押されると各種設定が可能なメニュー画面が画像表示部２８に表示される。利用者は、画像表示部２８に表示されたメニュー画面と、４方向キーやＳＥＴボタンとを用いて直感的に各種設定を行うことができる。
【００２４】
電源スイッチ７２は、電源オン、電源オフを切り替える。３９は電源制御部で、電池検出回路、ＤＣ−ＤＣコンバータ、通電するブロックを切り替えるスイッチ回路等により構成され、電池の装着の有無、電池の種類、電池残量の検出を行う。また、検出結果及びシステム制御回路５０の指示に基づいてＤＣ−ＤＣコンバータを制御し、必要な電圧を必要な期間、記録媒体２００を含む各部へ供給する。
【００２５】
３０はアルカリ電池やリチウム電池等の一次電池やＮｉＣｄ電池やＮｉＭＨ電池、Ｌｉ電池等の二次電池、ＡＣアダプター等からなる電源部である。３３及び３４はコネクタであり、電源部３０と電源制御部３９とを接続する。
【００２６】
４０はＲＴＣ（Ｒｅａｌ  Ｔｉｍｅ  Ｃｌｏｃｋ）であり、電源制御部３９とは別に内部に電源部を保持し、電源部３０が落ちた状態であっても、時計動作状態を続けている。システム制御部５０は起動時にＲＴＣ４０より取得した日時を用いてタイマー制御する。
【００２７】
１８はメモリカードやハードディスク等の記録媒体２００とのインターフェースであり、３５は該記録媒体２００とインターフェース１８との接続のためのコネクタである。９８は、コネクタ３５に記録媒体２００が装着されているか否かを検知する記録媒体着脱検知部である。
【００２８】
２００はメモリカードやハードディスク等の記録媒体である。記録媒体２００は、半導体メモリや磁気ディスク等から構成される記録部１９、デジタルカメラ１００とのインターフェース３７、及び、記録媒体２００とデジタルカメラ１００とを接続するためのコネクタ３６を備えている。
【００２９】
通信部１１０は、ＲＳ２３２ＣやＵＳＢ、ＩＥＥＥ１３９４、Ｐ１２８４、ＳＣＳＩ、モデム、ＬＡＮ、無線通信等の各種通信処理を行う。コネクタ（無線通信の場合はアンテナ）１１２は、通信部１１０を介してデジタルカメラ１００を他の機器と接続する。
【００３０】
［発明の第１の実施例］
以上のように構成されたデジタルカメラ１００の全体的な動作を説明するフローチャートを図３に示す。電源スイッチ７２が操作され電源がオンに切り替わると、Ｓ３０１でシステム制御部５０はフラグや制御変数等を初期化する。また、各種操作に関する初期設定を行う。Ｓ３０１の初期設定処理の詳細は後述する。続いて記録媒体２００に記録されているファイルに関する管理処理を開始する（Ｓ３１３）。次にＳ３０３でシステム制御部５０は、モード切替スイッチ６０の設定位置を判断し、静止画記録モードに設定されていたならばＳ３０４へ進む。Ｓ３０９で、モード切替スイッチ６０が動画記録モードに設定されていたならば動画記録モードＳ３１０へ進む。またＳ３１１で再生モードの場合、再生モード処理Ｓ３１２に進む。その他のモードに設定されていたならばＳ３０５へ進み、システム制御部５０は選択されたモードに応じた処理を実行し、処理を終えたならばＳ３０６に進む。その他のモードとしては例えば記録媒体２００に格納されたファイルの送受信を行う通信モードが含まれる。
【００３１】
Ｓ３０６でシステム制御部５０は電源スイッチ７２の設定位置を判断し、電源スイッチ７２が電源オンに設定されていれば、Ｓ３０３に戻る。Ｓ３０６において電源スイッチ７２が電源オフに設定されていたならば、Ｓ３０７へ進んで所定の終了処理を行う。終了処理には、以下のような処理が含まれる。表示部２８の表示を終了状態に変更し、レンズバリア１０２を閉じて撮像部を保護する。フラグや制御変数等を含むパラメータや設定値、設定モードを不揮発性メモリ５６に記録する。電源供給が不要な部分への電源を遮断する。終了処理が完了するとＳ３０８に進み処理を終了する。
【００３２】
以上のようなデジタルカメラ１００の前述したＳ３０１の初期設定処理について、本発明の第１の実施例を図４で示されるフローチャートを用いて説明する。
【００３３】
まず、ステップ（１）で、ＡＣＣモードが設定されたか否かにより、Ｙｅｓの場合は、ステップ（２）で、図５のデジタルカメラ１００背面部の表示部２８に示すように、ＡＣＣモードで使用できる機能と使用できない機能のボタン（操作部）７０を表示する。なお、本発明では、ＡＣＣモードで使用できる／できない機能として、デジタルカメラ１００の背面部に存在する機能を例に取りあげて説明する。ステップ（３）では、ユーザに確認する画面を表示部２８に表示してユーザの指示を仰ぐ（図６に例示）。Ｙｅｓの場合は、次ステップ（４）へ進み、Ｎｏの場合は、本処理を終了する。ステップ（４）では、使用できる機能で誤操作しやすいボタン７０があるか否かを判断し（例えば、ボタン７０同士の間隔が非常に狭い場合。本実施例では、上下左右の選択ボタン７０を誤操作しやすいボタン７０として判断）、Ｙｅｓの場合は、ステップ（５）へ進み、Ｎｏの場合は、本処理を終了する。ステップ（５）では、誤操作しやすいと判断されるボタン７０に隣接するボタン７０が使用可能な機能のボタン７０か否かを判断し、Ｙｅｓの場合は、ステップ（６）へ進み、Ｎｏの場合は、本処理を終了する。ステップ（６）では、誤操作しやすいと判断されるボタン７０に隣接するボタン７０に、誤操作しやすいと判断されるボタン７０の機能を重複して割り当てる。続いて、ステップ（７）で、機能をボタン７０に重複割り当てした結果を表示部２８に表示する（図７に例示）。次に、ステップ（８）で、ユーザに、機能の重複割り当てが完了した旨を通知して（図８に例示）、本処理を終了する。
【００３４】
［発明の第２の実施例］
次に本発明の第２の実施例について説明する。本実施例は、前述のＳ３０１の初期設定処理において、ＡＣＣモードで使用できる機能とできない機能をユーザに選択させることを可能にするものである。つまり、前記実施例１の図４中のステップ（３）のユーザに示した確認画面において、Ｎｏと選択された場合に、ユーザに使用できる機能とできない機能の選択画面を表示して選択させるものである。本発明の第２の実施例を、図９のフローチャートを用いて説明する。
【００３５】
まず、ステップ（１）において、ＡＣＣモードが設定されたか否かにより、Ｙｅｓの場合は、ステップ（２）で、前記実施例１の図５に示すように、ＡＣＣモードで使用できる機能と使用できない機能のボタン７０を表示する。次に、ステップ（３）で、ユーザに確認する画面を表示してユーザの指示を仰ぐ（図１０に例示）。Ｙｅｓの場合は、ステップ（６）へ進み、Ｎｏの場合は、ステップ（４）へ進み、使用可能／不可能の機能に対するボタン７０の選択画面をデジタルカメラ１００背面部の表示部２８に表示し（図１１に例示）、ステップ（５）において、ユーザが選択した結果を表示し（図１２に例示）、ユーザに確認する画面を表示してユーザの指示を仰ぐ（図１３に例示）。ステップ（５）でＹｅｓの場合は、ステップ（６）へ進み、Ｎｏの場合は、ステップ（４）へ戻る。ステップ（６）に進んだ場合は、使用できる機能で誤操作しやすいボタン７０があるか否かを判断し（本実施例では、上下左右の選択ボタン７０を誤操作しやすいボタン７０として判断）、Ｙｅｓの場合は、ステップ（７）へ進み、Ｎｏの場合は、本処理を終了する。ステップ（７）では、誤操作しやすいと判断されるボタン７０に隣接するボタン７０が使用可能な機能のボタン７０か否かを判断し、Ｙｅｓの場合は、ステップ（８）へ進み、Ｎｏの場合は、本処理を終了する。ステップ（８）では、誤操作しやすいと判断されるボタン７０に隣接するボタン７０に、誤操作しやすいと判断されるボタン７０の機能を重複して割り当てる。続いて、ステップ（９）で、前記実施例１の図７に示すように、機能をボタン７０に重複割り当てした結果を表示部２８に表示する。次に、ステップ（１０）で、前記実施例１の図８に示すように、ユーザに、機能の重複割り当てが完了した旨を通知して本処理を終了する。
【００３６】
［発明の第３の実施例］
次に本発明の第３の実施例について説明する。本実施例は、前述のＳ３０１の初期設定処理において、誤操作しやすいと判断される機能を使用しないボタン７０に重複して割り当てる際に、割り当てる機能の候補を表示して、ユーザが選択できるものである。本発明の第３の実施例を、図１４のフローチャートを用いて説明する。
【００３７】
まず、ステップ（１）において、ＡＣＣモードが設定されたか否かにより、Ｙｅｓの場合は、ステップ（２）で、ＡＣＣモードで使用できる機能と使用できない機能のボタン７０を表示する（前記実施例１の図５に例示）。次に、ステップ（３）で、ユーザに確認する画面を表示してユーザの指示を仰ぐ（前記実施例２の図１０に例示）。Ｙｅｓの場合は、ステップ（６）へ進み、Ｎｏの場合は、ステップ（４）へ進み、使用可能／不可能の機能に対するボタン７０の選択画面をデジタルカメラ１００背面部の表示部２８に表示し（前記実施例２の図１１に例示）、ステップ（５）において、ユーザが選択した結果を表示し（前記実施例２の図１２に例示）、ユーザに確認する画面を表示してユーザの指示を仰ぐ（前記実施例２の図１３に例示）。ステップ（５）でＹｅｓの場合は、ステップ（６）へ進み、Ｎｏの場合は、ステップ（４）へ戻る。ステップ（６）に進んだ場合は、使用できる機能で誤操作しやすいボタン７０があるか否かを判断し（本実施例では、上下左右の選択ボタン７０を誤操作しやすいボタン７０として判断）、Ｙｅｓの場合は、ステップ（７）へ進み、Ｎｏの場合は、本処理を終了する。ステップ（７）では、誤操作しやすいと判断されるボタン７０に隣接するボタン７０が使用可能な機能のボタン７０か否かを判断し、Ｙｅｓの場合は、ステップ（８）へ進み、Ｎｏの場合は、本処理を終了する。ステップ（８）では、誤操作しやすいと判断されるボタン７０に隣接するボタン７０に、誤操作しやすいと判断されるボタン７０の機能を重複して割り当てる。続いて、ステップ（９）で、機能をボタン７０に重複割り当てした結果を表示部２８に表示する（前記実施例１の図７に例示）。次に、ステップ（１０）で、図１５に示すように、ユーザに確認する画面を表示してユーザの指示を仰ぐ。Ｙｅｓの場合は、ステップ（１３）で、ユーザに、機能の重複割り当てが完了した旨を通知して（前記実施例１の図８に例示）、本処理を終了する。Ｎｏの場合は、ステップ（１１）へ進み、機能の重複割り当てに関する他の画面（前回表示した機能の重複割り当てとは異なるもの）を表示し（図１６に例示）、ステップ（１２）で、再度、ユーザに確認する画面を表示してユーザの指示を仰ぐ（図１５に例示）。Ｙｅｓの場合は、ステップ（１３）へ進み、Ｎｏの場合は、ステップ（１１）へ戻る。
【００３８】
［発明の第４の実施例］
次に本発明の第４の実施例について説明する。本実施例は、前述のＳ３０１の初期設定処理において、誤操作しやすいと判断される機能を使用しないボタン７０に重複して割り当てる際に、ユーザ自身が割り当てる機能を選択できるものである。本発明の第４の実施例を、図１７のフローチャートを用いて説明する。
【００３９】
まず、ステップ（１）において、ＡＣＣモードが設定されたか否かにより、Ｙｅｓの場合は、ステップ（２）で、ＡＣＣモードで使用できる機能と使用できない機能のボタン７０を表示する（前記実施例１の図５に例示）。次に、ステップ（３）で、ユーザに確認する画面を表示してユーザの指示を仰ぐ（前記実施例２の図１０に例示）。Ｙｅｓの場合は、ステップ（６）へ進み、Ｎｏの場合は、ステップ（４）へ進み、使用可能／不可能の機能に対するボタン７０の選択画面をデジタルカメラ１００背面部の表示部２８に表示し（前記実施例２の図１１に例示）、ステップ（５）において、ユーザが選択した結果を表示し（前記実施例２の図１２に例示）、ユーザに確認する画面を表示してユーザの指示を仰ぐ（前記実施例２の図１３に例示）。ステップ（５）でＹｅｓの場合は、ステップ（６）へ進み、Ｎｏの場合は、ステップ（４）へ戻る。ステップ（６）に進んだ場合は、使用できる機能で誤操作しやすいボタン７０があるか否かを判断し（本実施例では、上下左右の選択ボタン７０を誤操作しやすいボタン７０として判断）、Ｙｅｓの場合は、ステップ（７）へ進み、Ｎｏの場合は、本処理を終了する。ステップ（７）では、誤操作しやすいと判断されるボタン７０に隣接するボタン７０が使用可能な機能のボタン７０か否かを判断し、Ｙｅｓの場合は、ステップ（８）へ進み、Ｎｏの場合は、本処理を終了する。ステップ（８）では、誤操作しやすいと判断されるボタン７０に隣接するボタン７０に、誤操作しやすいと判断されるボタン７０の機能を重複して割り当てる。続いて、ステップ（９）で、機能をボタン７０に重複割り当てした結果を表示部２８に表示する（前記実施例１の図７に例示）。次に、ステップ（１０）で、図１８に示すように、ユーザに確認する画面を表示してユーザの指示を仰ぐ。Ｙｅｓの場合は、ステップ（１３）で、ユーザに、機能の重複割り当てが完了した旨を通知して（前記実施例１の図８に例示）、本処理を終了する。Ｎｏの場合は、ステップ（１１）へ進み、機能の重複割り当ての選択画面を表示部２８に表示し（図１９に例示）、ステップ（１２）で、ユーザが選択した結果を表示し（図２０に例示）、ユーザに確認する画面を表示してユーザの指示を仰ぐ（図２１に例示）。Ｙｅｓの場合は、ステップ（１３）へ進み、Ｎｏの場合は、ステップ（１１）へ戻る。
【符号の説明】
【００４０】
１００  デジタルカメラ
３９  スピーカー
１０  マイク
１１  音声制御部
１２  タイミング発生部
１３  Ｄ／Ａ変換器
２８  表示部
１０２  バリア
１０３  レンズ
１０１  シャッター
２２  撮像部
２３  Ａ／Ｄ変換器
２４  画像処理部
１５  メモリ制御部
３２  メモリ
１６  圧縮／伸張部
７０  操作部
６１  シャッターボタン
６２・６４  シャッタースイッチ
６０  モード切替スイッチ
７２  電源スイッチ
３９  電源制御部
３３・３４  電源コネクタ
３０  電源部
５０  システム制御部
４０  ＲＴＣ
９８  記録媒体着脱検知部
５２  システムメモリ
５６  不揮発性メモリ
１１０  通信部
１１２  コネクタ（アンテナ）
１１１  接続ケーブル
１８  デジタルカメラ側記録媒体Ｉ／Ｆ
３５・３６  デジタルカメラ・記録媒体コネクタ
３７  記録媒体側記録媒体Ｉ／Ｆ
１９  記録部
２００  記録媒体
２０１  記録媒体スロット
【図１】
2011118529.tif 000003
【図２】
2011118529.tif 000004
【図３】
2011118529.tif 000005
【図４】
2011118529.tif 000006
【図５】
2011118529.tif 000007
【図６】
2011118529.tif 000008
【図７】
2011118529.tif 000009
【図８】
2011118529.tif 000010
【図９】
2011118529.tif 000011
【図１０】
2011118529.tif 000012
【図１１】
2011118529.tif 000013
【図１２】
2011118529.tif 000014
【図１３】
2011118529.tif 000015
【図１４】
2011118529.tif 000016
【図１５】
2011118529.tif 000017
【図１６】
2011118529.tif 000018
【図１７】
2011118529.tif 000019
【図１８】
2011118529.tif 000020
【図１９】
2011118529.tif 000021
【図２０】
2011118529.tif 000022
【図２１】
2011118529.tif 000023